(57)【要約】【課題】フラッシュ非発光で、赤目緩和を機能させる必要のない場合に、赤目緩和を設定しても、赤目緩和の設定が無効であることを認識させる。【解決手段】フラッシュの発光、非発光を設定するフラッシュ設定手段と、赤目緩和の設定、非設定を設定する赤目緩和設定手段と、前記フラッシュ設定手段と前記赤目緩和設定手段による各設定の状態を表示する表示手段とを有し、前記フラッシュと前記赤目緩和の各状態を個別に設定可能な撮像装置において、前記フラッシュが非発光時に、前記赤目緩和が設定されている場合、前記赤目緩和の設定が無効であることを知らせる為に前記表示手段での前記赤目緩和の状態表示を、前記赤目緩和が機能する際の表示とは異なる表示形態にて行わせる表示制御手段（Ｓ１３０１→Ｓ１３０３→Ｓ１３０４）を有する。【選択図】        図５
2004251933.tif 000002
【特許請求の範囲】
【請求項１】
フラッシュの発光、非発光を設定するフラッシュ設定手段と、赤目緩和の設定、非設定を設定する赤目緩和設定手段と、前記フラッシュ設定手段と前記赤目緩和設定手段による各設定の状態を表示する表示手段とを有し、前記フラッシュと前記赤目緩和の各状態を個別に設定可能な撮像装置において、前記フラッシュが非発光時に、前記赤目緩和が設定されている場合、前記赤目緩和の設定が無効であることを知らせる為に前記表示手段での前記赤目緩和の状態表示を、前記赤目緩和が機能する際の表示とは異なる表示形態にて行わせる表示制御手段を有することを特徴とする撮像装置。
【発明の詳細な説明】
【０００１】
【発明の属する技術分野】
本発明は、フラッシュと赤目緩和の各状態を個別に設定可能な撮像装置の改良に関するものである。
【０００２】
【従来の技術】
近年、静止画像や動画像を撮像、記憶、通信、記録、再生、印刷する撮像システムが製品化されている。この種の撮像システムにおいて、フラッシュの発光／非発光／オートの設定やフラッシュ撮影時の赤目緩和の設定は、フラッシュ設定で一括して取り扱い設定したり、それぞれ個別で設定し表示する構成のものが実現されている。
【０００３】
このような従来の撮像システムにおいては、特許文献１のように、フラッシュと赤目緩和の各状態を個別に設定可能にした場合、フラッシュ発光のときに赤目緩和が機能し、フラッシュ非発光のときには赤目緩和の設定が無効になる。
【０００４】
【特許文献１】
特開平５−３４１３６１号公報
【０００５】
【発明が解決しようとする課題】
しかしながら、上記のようにフラッシュと赤目緩和の状態表示を個別に行えるようにすると、前述の相互関係をユーザーが表示から理解し難い問題があった。例えば、フラッシュが非発光に設定され、赤目緩和が設定されていた場合、フラッシュの状態表示は行われない、つまり非表示であるのに赤目緩和の状態表示のみが行われると、ユーザーに、フラッシュ発光は行われないのに赤目緩和は機能する（赤目緩和用ライトが点灯する）といった誤解を与えてしまう問題があった。
【０００６】
（発明の目的）
本発明の目的は、フラッシュ非発光で、赤目緩和を機能させる必要のない場合に、赤目緩和を設定しても、赤目緩和の設定が無効であることを認識させることのできる撮像装置を提供しようとするものである。
【０００７】
【課題を解決するための手段】
上記目的を達成するために、本発明は、フラッシュの発光、非発光を設定するフラッシュ設定手段と、赤目緩和の設定、非設定を設定する赤目緩和設定手段と、前記フラッシュ設定手段と前記赤目緩和設定手段による各設定の状態を表示する表示手段とを有し、前記フラッシュと前記赤目緩和の各状態を個別に設定可能な撮像装置において、前記フラッシュが非発光時に、前記赤目緩和が設定されている場合、前記赤目緩和の設定が無効であることを知らせる為に前記表示手段での前記赤目緩和の状態表示を、前記赤目緩和が機能する際の表示とは異なる表示形態にて行わせる表示制御手段を有する撮像装置とするものである。
【０００８】
【発明の実施の形態】
以下、本発明を図示の実施の形態に基づいて詳細に説明する。
【０００９】
（実施の第１の形態）
図１は本発明の実施の一形態に係る撮像装置の回路構成を示すブロック図である。
【００１０】
図１において、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。１８は、撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１１】
２０は画像処理回路であり、Ａ／Ｄ変換器１６からのデータ或いはメモリ制御回路２２からのデータに対して所定の画素補間処理や色変換処理を行う。また、画像処理回路２０で撮像した画像データを用いて所定の演算処理を行い、得られた演算結果に基づいてシステム制御回路５０が、露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０では、撮像した画像データを用いて所定の演算処理を行い、得られた演算結果に基づいてＴＴＬ方式のＡＷＢ（オートホワイトバランス）処理も行っている。
【００１２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１３】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１４】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８はシステム制御回路５０の指示により任意に表示をＯＮ／ＯＦＦすることが可能であり、表示をＯＦＦにした場合には撮像装置１００の電力消費を大幅に低減することが出来る。
【００１５】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１６】
３２は、適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。３４は暗号／復号回路であり、撮影してメモリ３０の所定領域に記憶した画像データに対して必要に応じて暗号化処理を行うと共に、暗号化処理を行ってメモリ３０の所定領域に記憶した画像データを再生表示する際に復号化処理を行う。
【００１７】
４０は絞り機能を備えるシャッター１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６はバリアである保護手段１０２の動作を制御するバリア制御手段である。  ４８はフラッシュであり、ＡＦ補助光の投光機能、フラッシュ調光機能も有する。
【００１８】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００１９】
５０は撮像装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００２０】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、外部コンピュータとの接続状態を示す表示、等がある。
【００２１】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００２２】
５６は電気的に消去・記録可能な不揮発性メモリであり、例えばＥＥＰＲＯＭ、フラッシュメモリ等が用いられる。５８は識別情報部であり、通信手段１１０、アンテナ１１２、不図示のパケット網、ネットワークを介して画像情報管理装置（画像ゲートウェイ）と通信を行う際に認証を行うため、及び、或いは撮影画像データの格納／取り出しを行う際に課金管理を行うための各種識別情報が格納されている。
【００２３】
６０，６２，６４，７０及び７２はシステム制御回路５０の各種の動作指示を入力するための操作手段であり、スイッチやダイアル、タッチパネル、視線検知によるポインティング、音声認識装置等の単数或いは複数の組み合わせで構成される。
【００２４】
ここで、これらの操作手段の具体的な説明を行う。
【００２５】
６０は電源スイッチ（メインスイッチ）であり、画像処理装置１００の電源ＯＮ、電源ＯＦＦの各モードを切り換え設定することが出来る。また、画像処理装置１００に接続された各種付属装置の電源ＯＮ、電源ＯＦＦの設定も合わせて切り換え設定することが出来る。６２はシャッタースイッチＳＷ１であり、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示するものである。６４はシャッタースイッチＳＷ２であり、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示するものである。
【００２６】
７０は各種ボタンやタッチパネル等からなる操作部であり、赤目緩和を設定機能を有するメニューボタン、セットボタン、マクロボタン、マルチ画面再生改ページボタン、フラッシュ設定ボタン、単写／連写／セルフタイマー切り換えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り換えを設定する選択／切り換えスイッチ、撮影及び或いは再生及び或いは通信を実行する際に各種機能の決定及び実行を設定する決定／実行スイッチ等がある。なお、圧縮モードスイッチにおいては、ＪＰＥＧ（Ｊｏｉｎｔ  Ｐｈｏｔｏｇｒａｐｈｉｃ  Ｅｘｐｅｒｔ  Ｇｐｏｕｐ）圧縮の圧縮率を選択するため、或いは撮像素子の信号をそのままディジタル化して記録媒体に記録するＣＣＤＲＡＷモードを選択するためのスイッチである。ＪＰＥＧ圧縮のモードは、例えばノーマルモードとファインモードが用意されている。
【００２７】
撮像装置１００の利用者は、撮影した画像のデータサイズを重視する場合はノーマルモードを、撮影した画像の画質を重視する場合はファインモードを、それぞれ選択して撮影を行うことが出来る。
【００２８】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、必要に応じて暗号／復号回路３４により所定の暗号化処理を行った後、記録媒体２００に記録を行う。
【００２９】
ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、必要に応じて暗号／復号回路３４により所定の暗号化処理を行った後、記録媒体２００に記録を行う。
【００３０】
７２はモードダイアルスイッチであり、自動撮影モード、撮影モード、パノラマ撮影モード、再生モード、マルチ画面再生・消去モード、ＰＣ接続モード等の各機能モードを切り換え設定することが出来る。
なお、本実施形態の説明においては、特に、撮影モード、再生モード、プリントサービスモードを撮像装置１００が備える構成としている。
【００３１】
８０は電源制御手段であり、電池検出回路、ＤＣ−ＤＣコンバータ、通電するブロックを切り換えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３２】
８２はコネクタ、８４はコネクタである。８６は、アルカリ電池やリチウム電池等の一次電池やＮｉＣｄ電池やＮｉＭＨ電池、Ｌｉ−ｉＯＮ電池等の二次電池、ＡＣアダプター等からなる電源手段である。９０はメモリカードやハードディスク等の記録媒体とのインタフェース、９２はメモリカードやハードディスク等の記録媒体と接続を行うコネクタである。
【００３３】
１０２は、撮像装置１００のレンズ１０を含む撮像部を覆う事により、撮像部の汚れや破損を防止するバリアである保護手段である。１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００３４】
１１０は通信手段であり、ＴＤＭＡ（Ｔｉｍｅ  Ｄｉｖｉｓｉｏｎ  Ｍｕｌｔｉｐｌｅ  Ａｃｃｅｓｓ）方式やＣＤＭＡ（Ｃｏｄｅ  Ｄｉｖｉｓｉｏｎ  Ｍｕｌｔｉｐｌｅ  Ａｃｃｅｓｓ）方式、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式、ＰＨＳ（Ｐｅｒｓｏｎａｌ  Ｈａｎｄｙｐｈｏｎｅ  Ｓｙｓｔｅｍ）方式等の携帯電話通信機能を有する。
【００３５】
１１２はアンテナであり、通信手段１１０により撮像装置１００を、不図示のパケット網、ネットワークを介して画像情報管理装置（画像ゲートウェイ）と接続する等するものである。１１４は通信手段であり、Ｂｌｕｅｔｏｏｔｈなどの無線通信機能を有する。
【００３６】
１１６はアンテナであり、通信手段１１４により撮像装置１００を不図示の印刷装置（プリントサービス）等の他の機器と接続する際のアンテナである。
【００３７】
２００はメモリカードやハードディスク等の記録媒体である。記録媒体２００は、半導体メモリや磁気ディスク等から構成される記録部２０２、撮像装置１００とのインタフェース２０４、撮像装置１００と接続を行うコネクタ２０６を備えている。なお、記録媒体２００は本実施例では撮像装置１００に内蔵される構成として説明している。
【００３８】
次に、図２乃至図５のフローチャートを用いて、上記構成における撮像装置の動作について説明する。
【００３９】
図２は撮像装置１００内のシステム制御回路５０での主ルーチンのフローチャートを示すものであり、以下これにしたがって説明する。
【００４０】
電池交換等の電源が投入されると、システム制御回路５０は、まずステップＳ１００１にて、フラグや制御変数等を初期化すると共に、撮像装置１００各部の初期化処理を行う。そして、次のステップＳ１００２にて、電源スイッチであるメインスイッチ６０の設定位置を判定し、メインスイッチ６０が電源ＯＦＦに設定されていたならばステップＳ１００３へ進み、各表示部の表示を終了状態に変更し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後、ステップＳ１００２に戻る。
【００４１】
また、上記ステップＳ１００２にてメインスイッチ６０が電源ＯＮに設定されていたならばステップＳ１００４へ進み、電源制御手段８０により電池等により構成される電源８６の残容量や動作情況が撮像装置１００の動作に問題があるか否かを判定し、問題があるならばステップＳ１００５へ進み、表示部５４及び（或いは）画像表示部２８を用いて画像や音声により所定の警告表示を行った後にステップＳ１００２に戻る。
【００４２】
一方、電源８６に問題が無いならば、ステップＳ１００４からステップＳ１０１０へ進み、表示部５４を用いて画像や音声により撮像装置１００の各種設定状態の表示を行う。なお、画像表示部２８の画像表示がＯＮであったならば、画像表示部２８も用いて画像や音声により撮像装置１００の各種設定状態の表示を行う。そして、次のステップＳ１０１１にて、モードダイアル７２の設定位置を判定し、モードダイアル７２が撮影モードに設定されていたならばステップＳ１０１２へ進み、撮影モード処理を実行してステップＳ１００２に戻る。
【００４３】
また、上記ステップＳ１０１１にてモードダイアル７２が撮影モードに設定されていなかった場合はステップＳ１０１３へ進み、ここではモードダイアル７２が再生モードに設定されているかの判定を行う。この結果、モードダイアル７２が再生モードに設定されていなければステップＳ１００２に戻る。また、モードダイアル７２が再生モードに設定されていたならばステップＳ１０１３からステップＳ１０１４へ進み、撮影した画像データの概略画像データを表示する再生モード処理を実行し、処理を終えたならばステップＳ１００２に戻る。
【００４４】
上記のように、撮像装置１００の利用者は、撮像装置１００を携帯して撮影、再生、通信を随時行うことが可能であり、撮影した画像データを不図示の情報処理装置に格納し、格納した画像データを画像情報管理装置（画像ゲートウェイ）を転送して格納し、印刷装置（プリントサービス）に転送して写真プリントを行うことが可能である。
【００４５】
次に、図２のステップＳ１０１２における撮影モードの処理の詳細について、図３のフローチャートにしたがって説明する。
【００４６】
システム制御回路５０は、まずステップＳ１１０１にて、操作部７０が備える各種スイッチの操作により、ユーザーによって撮影に関する各種設定の変更が行われかどうかを判定し、変更操作が行われていなければ直ちにステップＳ１１０３へ進むが、変更が行われたことを判定するとステップＳ１１０２へ進み、変更された内容に応じて、撮影に関する設定を変更して、ステップＳ１１０３へ進む。なお、上記撮影に関する設定の詳細については、図４を用いて後述する。
【００４７】
ステップＳ１１０３へ進むと、システム制御回路５０はシャッタースイッチＳＷ１が押されているかどうかを判定し、押されていなければこの撮影モード処理ルーチンを終了する。
【００４８】
一方、シャッタースイッチＳＷ１が押されたならば、システム制御回路５０はステップＳ１１０３からステップＳ１１０４へ動作を進め、測距処理（距離測定処理又はデフォーカス検出処理）を行って撮影レンズ１０の焦点を被写体に合わせ、測光処理を行って絞り値及びシャッター時間を決定する。この測光処理に於いて、必要であればフラッシュの設定も行う。そして、次のステップＳ１１０５にて、シャッタースイッチＳＷ２が押されているかどうかを判定し、押されていなければステップＳ１１０６へ進み、シャッタースイッチＳＷ１の状態を確認し、該シャッタースイッチＳＷ１の押圧が解除されていれば、この撮影モード処理ルーチンを終了する。
【００４９】
また、ステップＳ１１０６にてシャッタースイッチＳＷ１が押されたままであればステップＳ１１０５に戻り、システム制御回路５０は再びシャッタースイッチＳＷ２の状態を判定する。
【００５０】
上記ステップＳ１１０５にて、シャッタースイッチＳＷ２が押されたことを判定するとステップＳ１１０７へ進み、システム制御回路５０は、撮像素子１２、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する。
【００５１】
上記撮影処理を終えたならばステップＳ１１０８へ進み、システム制御回路５０はメモリ３０に書き込まれた撮影画像データを読み出して、メモリ制御回路２２そして必要に応じて画像処理回路２０を用いて所定の画素補間処理や色変換処理等の現像処理を行い、現像処理を行った画像データをメモリ３０の所定領域に格納してステップＳ１１０９に進む。
【００５２】
ステップＳ１１０９へ進むと、システム制御回路５０はメモリ３０の所定領域に格納された画像データを読み出し、圧縮・伸長回路３２を用いて、設定したモードに応じた画像圧縮処理を行う圧縮処理を行った後、圧縮処理を行った画像データをメモリ３０の所定領域に格納する。そして、次のステップＳ１１１０にて、メモリ３０の所定領域に格納された圧縮処理を行った画像データを読み出し、暗号／復号回路３４を用いて所定の暗号化処理を行い、処理を行った画像データをメモリ３０の所定領域に格納する。そして、シャッタースイッチＳＷ１の状態を判定するステップＳ１１１１に進み、該シャッタースイッチＳＷ１がＯＦＦするまで待機し、ＯＦＦするとこの撮影モード処理ルーチンを終了する。
【００５３】
次に、図３のステップＳ１１０２における撮影に関する設定変更の詳細について、図４のフローチャートにしたがって説明する。
【００５４】
ステップＳ１２０１にて操作部７０内のフラッシュ設定ボタンが押されているかの判定を行い、押されていればシステム制御回路５０はステップＳ１２０７へ進み、撮影モードに応じてフラッシュの設定状態を変更して、フラッシュ設定状態に応じた表示を行い、この撮影に関する設定変更の処理を終了する。
【００５５】
また、フラッシュ設定ボタンが押されていない場合はステップＳ１２０２へ進み、システム制御回路５０は操作部７０内のメニューボタンが押されているかどうかの判定を行い、押されていなければこの撮影に関する設定変更の処理を終了する。一方、メニューボタンが押されている場合はステップＳ１２０３へ進み、撮影メニュー表示を行う。そして、次のステップＳ１２０４及びＳ１２０５において、撮影メニュー表示中に赤目緩和選択項目が選択されているかの判定を行い、赤目緩和選択項目が選択される場合はステップＳ１２０６へ進み、赤目緩和選択のメニューを変更する。詳細は以下の図５により説明する。
【００５６】
次に、図４のステップＳ１２０６にて実行される赤目緩和選択メニューの詳細について、図５のフローチャートにしたがって説明する。
【００５７】
まずステップＳ１３０１にて、システム制御回路５０は操作部７０内のメニューボタンにより赤目緩和が設定されているかの判定を行い、非設定であればステップＳ１３０３へ進み、フラッシュ発光が設定されているかの判定を行う。この結果、フラッシュ非発光の場合はステップＳ１３０４へ進み、赤目緩和の状態表示を行うアイコン表示をグレイアウト、つまり無効表示とし、この赤目緩和選択メニューの処理を終了する。一方、フラッシュ発光の場合はステップＳ１３０５へ進み、赤目緩和の状態表示を通常のアイコン表示にして、この赤目緩和選択メニューの処理を終了する。
【００５８】
また、上記ステップＳ１３０１にて赤目緩和が設定されていない（非設定）と判定した場合にはステップＳ１３０２へ進み、アイコン表示を行わず、この赤目緩和選択メニューの処理を終了する。
【００５９】
図６は、本実施の形態において、上記フラッシュの発光、非発光の状態表示と赤目緩和の設定、非設定の状態表示の組み合わせの表示例を説明する為の図である。
【００６０】
フラッシュ非発光で、赤目緩和機能が設定されているときは、図６の左上欄に示すように、フラッシュの状態表示を非発光アイコン表示とし、赤目緩和の状態表示を、赤目緩和アイコン無効表示とする。一方、フラッシュ発光で、赤目緩和が設定されているときは、図６の右上欄に示すように、フラッシュの状態表示を発光アイコン表示とし、赤目緩和の状態表示を、赤目緩和アイコン表示とする。つまり、同じく赤目緩和の設定（ＯＮ）時でも、フラッシュ非発光時には赤目緩和を機能させる必要がなく、赤目緩和も機能しないので、その設定が向こうである事をユーザーに認識させる為に、図６の左上欄のように、図６の右上欄の表示形態を異ならせて、赤目緩和アイコン無効表示としている。
【００６１】
また、赤目緩和が設定されていない（ＯＦＦ）ときは、赤目緩和の状態表示は非表示とし、フラッシュの状態表示についてはその時の設定に応じたアイコン表示とする（図６の左右の下欄参照）。
【００６２】
以上の実施の形態によれば、フラッシュ発光、非発光の設定と赤目緩和の設定、非設定を個別に行うことのできる撮像装置において、フラッシュが非設定時に、赤目緩和が設定されている場合には、フラッシュの状態表示についてはフラッシュ非発光アイコン表示とし、赤目緩和の状態表示については赤目緩和アイコン無効表示にしている。つまり、フラッシュ発光時における赤目緩和設定時の状態表示とは表示色を異なる表示色に変更（図６では、黒色からグレーアウト表示を例示している）し、ユーザーに赤目緩和の設定が無効であることを容易に認識させることができるようにしている。
【００６３】
よって、従来のように、ユーザーに、フラッシュが発光しないのに赤目緩和用ライトが発光するのか、といった誤解を与えることがなくなる。
【００６４】
なお、上記実施形態では、フラッシュの発光、非発光の設定をボタン操作による変更とし、赤目緩和の設定、非設定をメニューからの設定として説明したが、フラッシュの発光、非発光の設定と赤目緩和の設定、非設定をともにメニューから行う方法でも、ボタン操作によって行う方法の何れであってもよい。また、本実施形態とは逆に、フラッシュの発光、非発光の設定がメニュー操作で、赤目緩和の設定、非設定をボタン操作で行うことも可能である。
【００６５】
また、ボタン操作以外のリモコンによる操作、ＰＣと通信接続を行い、ＰＣ側から操作した場合の表示方法についても同様な方法が可能である。
【００６６】
また、赤目緩和の無効表示をグレイアウト表示で行ったが、点滅、点灯の表示間隔の変更やその他の表示色の変更によって行うことも可能である。つまり、フラッシュ発光時における赤目緩和設定時の状態表示とフラッシュ非発光時における赤目緩和の状態表示を、それぞれ異なる表示形態（後者の場合は音を出したり、前者と後者の各場合で音色を変えることも含むものである）で行うようにすればよい。
【００６７】
又、上記実施の形態では、システム制御回路５０が上記の処理を行う例を述べたが、これに限定されるものではなく、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し、実行することによっても、上記目的を達成できることは言うまでもない。
【００６８】
この場合、記憶媒体から読み出されたプログラムコード自体が前述した実施形態の機能を実現することになり、そのプログラムコードを記憶した記憶媒体は本発明を構成することになる。
【００６９】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【００７０】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【００７１】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００７２】
最後に、上記請求項１に記載の発明以外の本発明に係る実施態様を、以下に列挙する。
【００７３】
（実施態様１）  フラッシュの発光、非発光を設定するフラッシュ設定手段と、赤目緩和の設定、非設定を設定する赤目緩和設定手段と、前記フラッシュ設定手段と前記赤目緩和設定手段による各設定の状態を表示する表示手段とを有し、前記フラッシュと前記赤目緩和の各状態を個別に設定可能な撮像装置において、前記フラッシュが非発光時に、前記赤目緩和が設定されている場合、前記表示手段に、前記フラッシュが非発光状態である事を示す表示を行わせるとともに、前記表示手段での前記赤目緩和の状態表示を、前記赤目緩和が機能する際の表示とは異なる表示形態にて行わせる表示制御手段を有することを特徴とする撮像装置。
【００７４】
（実施態様２）  請求項１又は実施態様１の何れかに記載の赤目緩和の状態表示の処理手順をコンピュータに実行させることを特徴とするプログラム。
【００７５】
（実施態様３）  実施態様２に記載のプログラムを記録したことを特徴とするコンピュータ読み取り可能な記録媒体。
【００７６】
【発明の効果】
以上説明したように、本発明によれば、フラッシュ非発光で、赤目緩和を機能させる必要のない場合に、赤目緩和を設定しても、赤目緩和の設定が無効であることを認識させることができる撮像装置を提供できるものである。
【図面の簡単な説明】
【図１】本発明の実施の一形態に係る撮像装置の回路構成を示すブロック図である。
【図２】図１の撮像装置の主ルーチンのフローチャートである。
【図３】図１の撮像装置における撮影モード処理ルーチンのフローチャートである。
【図４】図１の撮像装置における撮影に関する設定変更のフローチャートである。
【図５】図１の撮像装置における赤目緩和選択のフローチャートである。
【図６】図１の撮像装置におけるフラッシュ及び赤目緩和の状態表示の組み合わせを説明する為の図である。
【符号の説明】
１０    撮影レンズ
１４    撮像素子
２０    画像処理回路
２２    メモリ制御回路
２４    画像表示メモリ
２８    画像表示部
３０    メモリ
４０    露光制御手段
４８    フラッシュ
５０    システム制御回路
５２    メモリ
５４    表示部
５６    不揮発性メモリ
６０    メインスイッチ
７０    操作部
７２    モードダイアルスイッチ
２００  記録媒体
２０２  記録部
【図１】
2004251933.tif 000003
【図２】
2004251933.tif 000004
【図３】
2004251933.tif 000005
【図４】
2004251933.tif 000006
【図５】
2004251933.tif 000007
【図６】
2004251933.tif 000008